(57)【特許請求の範囲】
【請求項１】
透液性の表面シートと、不透液性の裏面シートと、前記表面シートと前記裏面シートとの間に介装される吸収体と、を有する物品本体と、
前記物品本体に設けられ、前記表面シートの表面が露出した状態から前記表面シートの表面を被覆した状態に変換可能な透液性の予備表面シートと、
を備え、
前記予備表面シートは、
一端が前記物品本体の表側に固定された固定端であるとともに、他端が自由端であり、
前記表面シートの表面が露出した状態では、折り畳まれた状態で、或いは、丸められた状態で、前記物品本体の表側に配されていることを特徴とする吸収性物品。
【請求項２】
請求項１に記載の吸収性物品であって、
前記予備表面シートは、前記表面シートの表面が露出した状態では、前記自由端が前記物品本体の外側を向いていることを特徴とする吸収性物品。
【請求項３】
請求項１又は２に記載の吸収性物品であって、
２枚１組の前記予備表面シートで前記表面シートの表面が被覆され、
前記予備表面シートは、
前記２枚のうちの一方の前記固定端が、前記物品本体の長手方向に略沿って前記物品本体の短手方向一端側に固定されるとともに、他方の前記固定端が、前記物品本体の長手方向に略沿って前記物品本体の短手方向他端側に固定され、
前記表面シートの表面を被覆した状態では、前記固定端から前記自由端までの長さが、前記固定端から前記物品本体の短手方向中央までの長さより長いことを特徴とする吸収性物品。
【請求項４】
請求項１又は２に記載の吸収性物品であって、
前記表面シートの表面は、複数の分割区域に区分され、
前記表面シートの各分割区域のそれぞれに対応して、前記予備表面シートが各々備えられていることを特徴とする吸収性物品。
【請求項５】
透液性の表面シートと、不透液性の裏面シートと、前記表面シートと前記裏面シートとの間に介装される吸収体と、を有する物品本体と、
前記物品本体に設けられ、前記表面シートの表面が露出した状態から前記表面シートの表面を被覆した状態に変換可能な透液性の予備表面シートと、
を備え、
前記予備表面シートは、
一端が前記物品の裏側に固定された固定端であるとともに、他端が自由端であり、
前記表面シートの表面が露出した状態では、前記物品本体の裏側に配されていることを特徴とする吸収性物品。
【請求項６】
請求項１〜５の何れか一項に記載の吸収性物品であって、
前記予備表面シートにおける前記表面シートの表面を露出した状態を仮止めする仮止め部を備えることを特徴とする吸収性物品。
【請求項７】
請求項６に記載の吸収性物品であって、
前記仮止め部による仮止めは、所定量の排泄によって解除されることを特徴とする吸収性物品。
【請求項８】
請求項６又は７に記載の吸収性物品であって、
前記予備表面シートは、前記表面シートの表面が露出した状態では、前記表面シートの表面を被覆する状態へ付勢されていることを特徴とする吸収性物品。
【請求項９】
請求項１〜８の何れか一項に記載の吸収性物品であって、
前記予備表面シートにおける前記表面シートの表面を被覆した状態を保持する保持部を備えることを特徴とする吸収性物品。
【請求項１０】
請求項１〜９の何れか一項に記載の吸収性物品であって、
前記表面シートの表面が露出した状態において前記予備表面シートを覆う、前記予備表面シートよりも撥水性の高い撥水シートを備えることを特徴とする吸収性物品。
【請求項１１】
請求項１〜１０の何れか一項に記載の吸収性物品であって、
前記予備表面シートは、前記固定端から前記自由端側に向かうにつれて疎水性及び／又は速乾性の度合いが高くなることを特徴とする吸収性物品。
【発明の詳細な説明】
【技術分野】
【０００１】
本発明は、吸収性物品に関する。
【背景技術】
【０００２】
従来、使い捨て紙おむつ等に代表される吸収性物品が知られている。
また、インナーパッドが着脱可能な吸収性物品も知られている（例えば、特許文献１，２参照）。
【特許文献１】特開２００４−０２４３０８号公報
【特許文献２】特開２００４−３５１２２８号公報
【発明の開示】
【発明が解決しようとする課題】
【０００３】
しかしながら、使い捨て紙おむつ等に代表される吸収性物品のおいては、排泄物を排泄した後、しばらくの間、装着したままにしておくと、吸収体に吸収されて表面に拡散してきた排泄物や、吸収体に吸収されなかった残渣などが肌に付着して肌を清潔に保つことができない。したがって、吸収体の容量にまだ余裕がある場合であっても、交換しなければならず、効率的でないという問題がある。
また、インナーパッドが着脱可能な吸収性物品においては、インナーパッドを交換することによって吸収性物品を交換する頻度を抑えるようになっているが、肌を清潔に保つためには、インナーパッドの吸収体の容量にまだ余裕がある場合であっても、インナーパッドを交換しなければならず、効率的でないという問題がある。
【０００４】
本発明の課題は、効率的に肌を清潔に保つことができる吸収性物品を提供することにある。
【課題を解決するための手段】
【０００５】
上記課題を解決するために、請求項１に記載の発明は、
透液性の表面シートと、不透液性の裏面シートと、前記表面シートと前記裏面シートとの間に介装される吸収体と、を有する物品本体と、
前記物品本体に設けられ、前記表面シートの表面が露出した状態から前記表面シートの表面を被覆した状態に変換可能な透液性の予備表面シートと、
を備え、
前記予備表面シートは、
一端が前記物品本体の表側に固定された固定端であるとともに、他端が自由端であり、
前記表面シートの表面が露出した状態では、折り畳まれた状態で、或いは、丸められた状態で、前記物品本体の表側に配されていることを特徴とする。
【０００７】
請求項２に記載の発明は、
請求項１に記載の吸収性物品であって、
前記予備表面シートは、前記表面シートの表面が露出した状態では、前記自由端が前記物品本体の外側を向いていることを特徴とする。
【０００８】
請求項３に記載の発明は、
請求項１又は２に記載の吸収性物品であって、
２枚１組の前記予備表面シートで前記表面シートの表面が被覆され、
前記予備表面シートは、
前記２枚のうちの一方の前記固定端が、前記物品本体の長手方向に略沿って前記物品本体の短手方向一端側に固定されるとともに、他方の前記固定端が、前記物品本体の長手方向に略沿って前記物品本体の短手方向他端側に固定され、
前記表面シートの表面を被覆した状態では、前記固定端から前記自由端までの長さが、前記固定端から前記物品本体の短手方向中央までの長さより長いことを特徴とする。
【０００９】
請求項４に記載の発明は、
請求項１又は２に記載の吸収性物品であって、
前記表面シートの表面は、複数の分割区域に区分され、
前記表面シートの各分割区域のそれぞれに対応して、前記予備表面シートが各々備えられていることを特徴とする。
【００１０】
請求項５に記載の発明は、
透液性の表面シートと、不透液性の裏面シートと、前記表面シートと前記裏面シートとの間に介装される吸収体と、を有する物品本体と、
前記物品本体に設けられ、前記表面シートの表面が露出した状態から前記表面シートの表面を被覆した状態に変換可能な透液性の予備表面シートと、
を備え、
前記予備表面シートは、
一端が前記物品の裏側に固定された固定端であるとともに、他端が自由端であり、
前記表面シートの表面が露出した状態では、前記物品本体の裏側に配されていることを特徴とする。
【００１１】
請求項６に記載の発明は、
請求項１〜５の何れか一項に記載の吸収性物品であって、
前記予備表面シートにおける前記表面シートの表面を露出した状態を仮止めする仮止め部を備えることを特徴とする。
【００１２】
請求項７に記載の発明は、
請求項６に記載の吸収性物品であって、
前記仮止め部による仮止めは、所定量の排泄によって解除されることを特徴とする。
【００１３】
請求項８に記載の発明は、
請求項６又は７に記載の吸収性物品であって、
前記予備表面シートは、前記表面シートの表面が露出した状態では、前記表面シートの表面を被覆する状態へ付勢されていることを特徴とする。
【００１４】
請求項９に記載の発明は、
請求項１〜８の何れか一項に記載の吸収性物品であって、
前記予備表面シートにおける前記表面シートの表面を被覆した状態を保持する保持部を備えることを特徴とする。
【００１５】
請求項１０に記載の発明は、
請求項１〜９の何れか一項に記載の吸収性物品であって、
前記表面シートの表面が露出した状態において前記予備表面シートを覆う、前記予備表面シートよりも撥水性の高い撥水シートを備えることを特徴とする。
【００１６】
請求項１１に記載の発明は、
請求項１〜１０の何れか一項に記載の吸収性物品であって、
前記予備表面シートは、前記固定端から前記自由端側に向かうにつれて疎水性及び／又は速乾性の度合いが高くなることを特徴とする。
【発明の効果】
【００１７】
請求項１に記載の発明によれば、透液性の表面シートと、不透液性の裏面シートと、表面シートと裏面シートとの間に介装される吸収体と、を有する物品本体と、物品本体に設けられ、表面シートの表面が露出した状態から表面シートの表面を被覆した状態に変換可能な透液性の予備表面シートと、を備え、予備表面シートは、一端が物品本体の表側に固定された固定端であるとともに、他端が自由端であり、表面シートの表面が露出した状態では、折り畳まれた状態で、或いは、丸められた状態で、物品本体の表側に配されている。
すなわち、例えば、物品本体に排泄された排泄物で表面シートの表面が汚れた場合に、予備表面シートで表面シートの表面を被覆して、その汚れを閉じ込めることができる。したがって、物品本体に排泄された排泄物で表面シートの表面が汚れた場合であっても、吸収体の容量にまだ余裕がある場合には、予備表面シートで表面シートの表面を被覆すれば、吸収性物品を交換しなくても汚れが肌に付着するのを防止できるため、効率的に肌を清潔に保つことができる。
さらに、予備表面シートで汚れを閉じ込めることができるため、汚れ等に由来する臭いが放出されるのを抑えることができる。
また、表面シートの表面が露出した状態において、予備表面シートが邪魔になるのを抑えることができる。
【００１９】
請求項２に記載の発明によれば、請求項１に記載の発明と同様の効果が得られることは無論のこと、予備表面シートは、表面シートの表面が露出した状態では、自由端が物品本体の外側を向いている。
したがって、表面シートの表面が露出した状態において自由端が汚れても、表面シートの表面を被覆した状態においては、その自由端の汚れた面が表面シート側を向き、汚れていない面が肌当接面となるため、汚れが肌に付着するのを防止できる。
【００２０】
請求項３に記載の発明によれば、請求項１又は２に記載の発明と同様の効果が得られることは無論のこと、２枚１組の予備表面シートで表面シートの表面が被覆され、予備表面シートは、２枚のうちの一方の固定端が、物品本体の長手方向に略沿って物品本体の短手方向一端側に固定されるとともに、他方の固定端が、物品本体の長手方向に略沿って物品本体の短手方向他端側に固定され、表面シートの表面を被覆した状態では、固定端から自由端までの長さが、固定端から物品本体の短手方向中央までの長さよりも長くなるよう設定されている。
したがって、２枚の予備表面シートは、物品本体の短手方向中央付近で重なることとなるので、最も汚れやすい部分を確実に予備表面シートで覆うことができる。
【００２１】
請求項４に記載の発明によれば、請求項１又は２に記載の発明と同様の効果が得られることは無論のこと、表面シートの表面は、複数の分割区域に区分され、表面シートの各分割区域のそれぞれに対応して、予備表面シートが各々備えられている。
したがって、複数の分割区域のうちの汚れた分割区域のみを、被覆した状態に変換することができるため、より効率的に肌を清潔に保つことができる。
【００２２】
請求項５に記載の発明によれば、透液性の表面シートと、不透液性の裏面シートと、表面シートと裏面シートとの間に介装される吸収体と、を有する物品本体と、物品本体に設けられ、表面シートの表面が露出した状態から表面シートの表面を被覆した状態に変換可能な透液性の予備表面シートと、を備え、予備表面シートは、一端が物品の裏側に固定された固定端であるとともに、他端が自由端であり、表面シートの表面が露出した状態では、物品本体の裏側に配されている。
すなわち、例えば、物品本体に排泄された排泄物で表面シートの表面が汚れた場合に、予備表面シートで表面シートの表面を被覆して、その汚れを閉じ込めることができる。したがって、物品本体に排泄された排泄物で表面シートの表面が汚れた場合であっても、吸収体の容量にまだ余裕がある場合には、予備表面シートで表面シートの表面を被覆すれば、吸収性物品を交換しなくても汚れが肌に付着するのを防止できるため、効率的に肌を清潔に保つことができる。
さらに、予備表面シートで汚れを閉じ込めることができるため、汚れ等に由来する臭いが放出されるのを抑えることができる。
また、表面シートの表面が露出した状態において、予備表面シートが邪魔になるのを抑えることができるとともに、表面シートの表面を被覆する前に予備表面シートが汚れたり湿ったりするのを抑えることができる。
【００２３】
請求項６に記載の発明によれば、請求項１〜５の何れか一項に記載の発明と同様の効果が得られることは無論のこと、予備表面シートにおける表面シートの表面を露出した状態を仮止めする仮止め部を備えている。
したがって、表面シートの表面が露出した状態において、予備表面シートが邪魔になるのを確実に抑えることができる。
【００２４】
請求項７に記載の発明によれば、請求項６に記載の発明と同様の効果が得られることは無論のこと、仮止め部による仮止めは、所定量の排泄によって解除されるようになっている。
したがって、仮止め部による仮止めが自動的に解除されるため、予備表面シートで表面シートの表面を被覆する操作が容易になり、ユーザにとって好適である。また、仮止め部による仮止めの解除を、予備表面シートで表面シートの表面を被覆すべきタイミングの目安となるよう構成することもできる。
【００２５】
請求項８に記載の発明によれば、請求項６又は７に記載の発明と同様の効果が得られることは無論のこと、予備表面シートは、表面シートの表面が露出した状態では、表面シートの表面を被覆する状態へ付勢されている。
すなわち、仮止め部による仮止めが解除されると、自動的に、表面シートの表面が露出した状態から表面シートの表面を被覆した状態へと変換される。したがって、自由端をつまんだりすることなく、表面シートの表面を被覆した状態へと変換することができるため、ユーザにとって好適である。
【００２６】
請求項９に記載の発明によれば、請求項１〜８の何れか一項に記載の発明と同様の効果が得られることは無論のこと、予備表面シートにおける表面シートの表面を被覆した状態を保持する保持部を備えている。
したがって、表面シートの表面を被覆した状態において、予備表面シートがずれたりめくれたりしにくいため、予備表面シートで閉じ込めた汚れが露出してくるのを抑えることができる。
【００２７】
請求項１０に記載の発明によれば、請求項１〜９の何れか一項に記載の発明と同様の効果が得られることは無論のこと、表面シートの表面が露出した状態において予備表面シートを覆う、予備表面シートよりも撥水性の高い撥水シートを備えている。
したがって、表面シートの表面を被覆する前に予備表面シートが汚れたり湿ったりするのを抑えることができる。
【００２８】
請求項１１に記載の発明によれば、請求項１〜１０の何れか一項に記載の発明と同様の効果が得られることは無論のこと、予備表面シートは、固定端から自由端側に向かうにつれて疎水性及び／又は速乾性の度合いが高くなるよう構成されている。
したがって、固定端から自由端側に向かうにつれて疎水性の度合いが高くなる場合（すなわち、自由端から固定端側に向かうにつれて親水性の度合いが高くなる場合）には、排泄物（特に体液）が固定端側に移動しやすくなり、固定端から自由端側に向かうにつれて速乾性の度合いが高くなる場合には、自由端に付着した排泄物（特に体液）が乾きやすくなるため、装着時に肌に触れやすい部分であるとともに、表面シート１１の表面を被覆した状態へと変換する際にユーザがつまむ部分となる予備表面シートの自由端側が、表面シートの表面を被覆する前に汚れたり湿ったりするのを抑えることができる。
【発明を実施するための最良の形態】
【００２９】
以下、図を参照して、本発明にかかる吸収性物品の最良の形態を詳細に説明する。なお、発明の範囲は、図示例に限定されない。
【００３０】
［第１の実施の形態］
まず、第１の実施の形態における吸収性物品について説明する。
本実施の形態では、吸収性物品として、インナーパッドや生理用ナプキンなどの吸収パッドを例示して説明することとする。
図１は、表面シートの表面が露出した状態の吸収パッドの斜視図であり、図２は、図１のII−II線における断面図である。図３は、表面シートの表面を被覆した状態の吸収パッドの斜視図であり、図４は、図３のIV−IV線における断面図である。
【００３１】
＜吸収パッドの構成＞
第１の実施の形態の吸収パッド１は、例えば、図１及び図２に示すように、人体との接触面側に設けられる透液性の表面シート１１と、人体との接触面とは反対側に設けられる不透液性の裏面シート１２と、表面シート１１と裏面シート１２との間に介装される吸収体１３と、を有する物品本体１０と、物品本体１０の長手両側縁部に略沿って設けられた透液性の予備表面シート２０，２０と、物品本体１０の長手両側縁部に略沿って、予備表面シート２０，２０よりも外側に設けられたギャザーシート３０，３０と、などを備えて構成される。
ここで、内側とは、吸収パッド１の短手方向中央側をいい、外側とは、吸収パッド１の短手方向中央から離れる側をいう。
【００３２】
この吸収パッド１においては、人体の股部を腹側から背側にかけて覆うように、一方の端部に腹側部１４が形成され、他方の端部に背側部１５が形成されている。また、腹側部１４と背側部１５との間が股下部１６となっており、股下部１６の両縁部は、装着された際に装着者の脚の周りを囲む脚周り部１７となっている。
【００３３】
表面シート１１は、例えば、透液性の不織布、透液性のプラスチックシート、或いはこれらの複合体等により形成されている。
不織布を構成する素材繊維としては、例えば、ポリエチレンやポリプロピレンなどのオレフィン系、ポリエステル系、ポリアミド系等の合成繊維の他、レーヨンやキュプラなどの再生繊維、綿などの天然繊維等を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等が挙げられる。
【００３４】
裏面シート１２は、例えば、不透液性の不織布、不透液性のプラスチックシート、或いはこれらの複合体等により形成されている。
すなわち、裏面シート１２は、ポリエチレン等の少なくとも遮水性を有するシート材により形成されている。また、裏面シート１２は、ムレ防止等の観点から透湿性を有するシート材であることが好ましく、遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材等が好適に用いられる。
【００３５】
表面シート１１は、例えば、吸収体１３の表面（肌当接面側）を覆って、吸収体１３上面の長手両側縁部において内側に折り返されている。
裏面シート１２は、例えば、吸収体１３の底面を覆い、さらに吸収体１３の側面を覆って、吸収体１３上面の長手両側縁部において表面シート１１側（内側）に折り返されている。
表面シート１１の内側に折り返された部分と、裏面シート１２の内側に折り返された部分とは、例えば、ホットメルト接着剤等によって互いに接着されている。
【００３６】
吸収体１３は、例えば、綿やパルプなどの吸収性素材、高吸水性樹脂（ＳＡＰ；Super Absorbent Polymer）、繊維やフィルムなどのシート状基材等を組み合わせて形成されている。
【００３７】
予備表面シート２０は、例えば、物品本体１０に排泄された排泄物で表面シート１１の表面が汚れた場合に、２枚１組で表面シート１１表面の略全体を被覆することによりその汚れＱを閉じ込めて、汚れＱが肌に付着するのを防止するためのものである。
【００３８】
具体的には、予備表面シート２０は、例えば、短手方向一端が物品本体１０の表側に固定された固定端２０１であるとともに、短手方向他端が自由端２０２であり、表面シート１１の表面が露出した状態（図１及び図２）から表面シート１１の表面を被覆した状態（図３及び図４）に変換可能となっている。そして、予備表面シート２０は、例えば、表面シート１１の表面が汚れた場合に、表面シート１１の表面が露出した状態から表面シート１１の表面を被覆した状態に変換されるようになっている。
【００３９】
より具体的には、例えば、２枚の予備表面シート２０のうちの一方の予備表面シート２０の固定端２０１は、物品本体１０の長手方向に略沿って、物品本体１０の短手方向一端側における表面シート１１の表面に貼り付けられて固定されているとともに、他方の予備表面シート２０の固定端２０１は、物品本体１０の長手方向に略沿って、物品本体１０の短手方向他端側における表面シート１１の表面に貼り付けられて固定されている。
そして、予備表面シート２０は、例えば、物品本体１０の長手両側縁部に略沿って、自由端２０２及び長手方向両端２０３，２０３を固定することなく物品本体１０の表側に配されている。
【００４０】
また、予備表面シート２０は、例えば、表面シート１１の表面を被覆した状態では、固定端２０１から自由端２０２までの長さが、固定端２０１から物品本体１０の短手方向中央までの長さよりも長く、かつ、固定端２０１から物品本体１０の短手方向中央までの長さの３．０倍よりも短くなるよう設定されている。
したがって、表面シート１１の表面を被覆した状態において、２枚１組の予備表面シート２０で表面シート１１表面の略全体を被覆でき、かつ、予備表面シート２０が邪魔になるのを抑えることができる。
【００４１】
予備表面シート２０は、例えば、表面シート１１の表面が露出した状態では、折りたたまれた状態で、物品本体１０の表側に配されている。
また、予備表面シート２０は、例えば、表面シート１１の表面が露出した状態では、自由端２０２が物品本体１０の外側を向いている。
【００４２】
予備表面シート２０は、例えば、透液性の不織布、透液性のプラスチックシート、或いはこれらの複合体等により形成されている。
不織布を構成する素材繊維としては、例えば、ポリエチレンやポリプロピレンなどのオレフィン系、ポリエステル系、ポリアミド系等の合成繊維の他、レーヨンやキュプラなどの再生繊維、綿などの天然繊維等を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等が挙げられる。
【００４３】
予備表面シート２０は、表面シート１１表面の汚れＱを予備表面シート２０で閉じ込める等の観点から、表面シート１１よりも親水性の度合いが低いシート材により形成されているのが好ましく、さらに、表面シート１１の表面を被覆した状態において、表面シート１１側とは反対側の面（肌当接面）が、表面シート１１側の面（肌当接面とは反対側の面）よりも親水性の度合いが低いシート材により形成されているのが好ましい。
表面シート１１の表面を被覆した状態において、表面シート１１側とは反対側の面（肌当接面）が、表面シート１１側の面（肌当接面とは反対側の面）よりも親水性の度合いが低いシート材としては、例えば、肌当接面とは反対側の面に界面活性剤などの親水剤が塗布されたシート材や、肌当接面に油剤やシリコンなどの撥水剤が塗布されたシート材、肌当接面とは反対側の面に親水剤が塗布されるとともに、肌当接面に撥水剤が塗布されたシート材、表面張力に差があるシートを貼り合わせて形成されたシート材、親水性の度合いがより低い繊維とより高い繊維とで形成された不織布であって、肌当接面における親水性の度合いがより低い繊維の密度が、肌当接面とは反対側の面よりも高く、肌当接面とは反対側の面における親水性の度合いがより高い繊維の密度が、肌当接面よりも高い不織布を含むシート材などが好適に用いられる。
【００４４】
また、予備表面シート２０は、表面シート１１の表面を被覆する前に予備表面シート２０が汚れたり湿ったりするのを抑える等の観点から、固定端２０１から自由端２０２側に向かうにつれて疎水性及び／又は速乾性の度合いが高くなるシート材により形成されているのが好ましい。
固定端２０１から自由端２０２側に向かうにつれて疎水性の度合いが高くなるシート材としては、例えば、固定端２０１側に界面活性剤などの親水剤が塗布されたシート材や、自由端２０２側に油剤やシリコンなどの撥水剤が塗布されたシート材、固定端２０１側に親水剤が塗布されるとともに、自由端２０２側に撥水剤が塗布されたシート材などが好適に用いられる。
また、固定端２０１から自由端２０２側に向かうにつれて速乾性の度合いが高くなるシート材としては、例えば、固定端２０１から自由端２０２側に向かうにつれて繊維密度が低くなる不織布を含むシート材等が好適に用いられる。
【００４５】
予備表面シート２０の固定端２０１と表面シート１１とを接着する接着剤としては、例えば、エチレン酢酸ビニル共重合体樹脂（ＥＶＡ；Ethylene Vinyl Acetate）、ポリビニルアルコール（ＰＶＡ）、アクリルアミド・ポリビニルアルコール共重合体、アクリル酸エステル・酢酸ビニル共重合体、カルボキシメチルセルロースナトリウム、ＳＩＳや、ＳＢＳ、ＳＩＢＳ、ＳＥＰＳなどのスチレン系エラストマー、ポリエステル・アクリル系エラストマー、ポリオレフィン系エラストマー等を適宜用いることができる。
また、接着剤を塗布する方法としては、例えば、カーテン法、ビート法、スロット法、スパイラル法等、周知の塗布方法（例えば、スプレー塗布やブレードコートなど）により行うことができる。
【００４６】
ここで、予備表面シート２０には、例えば、予備表面シート２０における表面シート１１の表面を露出した状態を仮止めする仮止め部４０が備えられている。
具体的には、例えば、予備表面シート２０の自由端２０２は、表面シート１１の表面が露出した状態では、仮止め部４０によって固定端２０１に仮止めされている。これにより、予備表面シート２０における表面シート１１の表面が露出した状態が仮止めされるようになっている。
【００４７】
仮止め部４０の構成は、予備表面シート２０における表面シート１１の表面を露出した状態を仮止めすることができれば任意であり、例えば、接着剤や面ファスナなどを用いて仮止めする構成であっても良いし、予備表面シート２０等にエンボス加工や超音波加工などを施すことによって仮止めする構成であっても良い。
【００４８】
仮止め部４０は、例えば、容易（自動的）に仮止めを解除できる等の観点から、所定量の排泄によって仮止めを解除する構成であるのが好ましい。すなわち、仮止め部４０は、例えば、排泄に伴う水分の吸収、排泄に伴うｐＨの変化、排泄に伴う特定成分の変化等によって、仮止めを解除する接着剤等を用いて仮止めする構成であるのが好ましい。
所定量の排泄によって仮止めを解除する接着剤としては、例えば、水分で接着力が低下するポリビニルアルコール（ＰＶＡ）等の水糊（再湿型接着剤）や、熱で接着力が低下するホットメルト等の接着剤などが好適に用いられる。
【００４９】
また、予備表面シート２０には、例えば、予備表面シート２０における表面シート１１の表面を被覆した状態を保持する保持部５０が備えられている。
具体的には、例えば、予備表面シート２０の自由端２０２には保持部５０が備えられており、一方の予備表面シート２０の自由端２０２に備えられた保持部５０は、表面シート１１の表面を被覆した状態では、他方の予備表面シート２０の自由端２０２に備えられた保持部５０に係止されるようになっている。これにより、予備表面シート２０における表面シート１１の表面を被覆した状態が保持されるようになっている。
【００５０】
保持部５０は、例えば、予備表面シート２０で表面シート１１の表面を被覆する際の操作性が良い等の観点から、単独での接着性は低いが、一方の保持部５０と他方の保持部５０とが互いに接することにより高い接着性を示す接着剤や面ファスナなどにより形成されているのが好ましい。
単独での接着性は低いが、互いに接することにより高い接着性を示す接着剤としては、例えば、自己接着性のあるホットメルト接着剤等が好適に用いられる。
【００５１】
ギャザーシート３０は、例えば、物品本体１０に排泄された排泄物が横もれするのを防止するためのものである。
また、ギャザーシート３０は、例えば、撥水シートとして、表面シート１１の表面が露出した状態において予備表面シート２０を覆い、表面シート１１の表面を被覆する前に予備表面シート２０が汚れたり湿ったりするのを抑えるためのものである。
【００５２】
具体的には、ギャザーシート３０は、例えば、短手方向一端が物品本体１０に固定された固定端であるとともに、短手方向他端が自由端である。
【００５３】
より具体的には、例えば、ギャザーシート３０の固定端は、裏面シート１２の内側に折り返された部分における表面シート１１側とは反対側の面に貼り付けられて固定されている。
そして、ギャザーシート３０は、例えば、物品本体１０の長手両側縁部に略沿って、自由端を固定することなく物品本体１０の表側に配されているが、物品本体１０の長手方向両端部では、自由端ごと表面シート１１側に折り畳まれて、物品本体１０に固定されている。
また、例えば、ギャザーシート３０の自由端には、糸ゴム等の弾性部材３１が長手方向に亘って配されている。これにより、ギャザーシート３０は、長手方向に伸縮自在となっている。
【００５４】
ギャザーシート３０は、例えば、液が透過しにくい不織布、液が透過しにくいプラスチックシート、或いはこれらの複合体等により形成されている。
液が透過しにくい不織布としては、例えば、スパンボンド不織布、スパンボンド不織布−メルトブローン不織布−スパンボンド不織布、スパンボンド不織布−メルトブローン不織布−メルトブローン不織布−スパンボンド不織布、ヒートロール不織布、不透液性不織布、エアースルー不織布等が挙げられる。
【００５５】
ギャザーシート３０としては、例えば、表面シート１１の表面を被覆する前に予備表面シート２０が汚れたり湿ったりするのを抑える等の観点から、防漏性が高く予備表面シート２０よりも撥水性の度合いが高い不織布、防漏性が高く予備表面シート２０よりも撥水性の度合いが高いプラスチックシート、或いはこれらの複合体等により形成されているのが好ましい。
防漏性が高く予備表面シート２０よりも撥水性の度合いが高い不織布としては、例えば、ＳＭＭＳ不織布等が挙げられる。
【００５６】
ギャザーシート３０の固定端と裏面シート１２とを接着する接着剤としては、例えば、エチレン酢酸ビニル共重合体樹脂（ＥＶＡ；Ethylene Vinyl Acetate）、ポリビニルアルコール（ＰＶＡ）、アクリルアミド・ポリビニルアルコール共重合体、アクリル酸エステル・酢酸ビニル共重合体、カルボキシメチルセルロースナトリウム、ＳＩＳや、ＳＢＳ、ＳＩＢＳ、ＳＥＰＳなどのスチレン系エラストマー、ポリエステル・アクリル系エラストマー、ポリオレフィン系エラストマー等を適宜用いることができる。
また、接着剤を塗布する方法としては、例えば、カーテン法、ビート法、スロット法、スパイラル法等、周知の塗布方法（例えば、スプレー塗布やブレードコートなど）により行うことができる。
【００５７】
＜状態変換動作＞
次いで、予備表面シート２０における、表面シート１１の表面が露出した状態から表面シート１１の表面を被覆した状態への変換動作について説明する。
【００５８】
表面シート１１の表面が露出した状態においては、例えば、図１及び図２に示すように、予備表面シート２０は、折り畳まれた状態で物品本体１０の表側に配されており、折り畳まれた状態（表面シート１１の表面が露出した状態）を仮止め部４０により仮止めされている。また、予備表面シート２０は、ギャザーシート３０により覆われている。
この表面シート１１の表面が露出した状態においては、物品本体１０に排泄される排泄物は、表面シート１１の表面に排泄されることになる。
【００５９】
仮止め部４０による仮止めが解除されると、自由端２０２を外側から内側へと移動させることができるようになるため、予備表面シート２０は、表面シート１１の表面が露出した状態から表面シート１１の表面を被覆した状態へと変換可能となる。
【００６０】
表面シート１１の表面を被覆した状態においては、例えば、図３及び図４に示すように、予備表面シート２０は、広げられた状態で物品本体１０の表側に配されて、２枚１組で表面シート１１表面の略全体を被覆している。そして、この予備表面シート２０が広げられた状態（表面シート１１の表面を被覆した状態）は、保持部５０によって保持されている。したがって、表面シート１１表面の汚れＱは、予備表面シート２０によって閉じ込められることになる。
この表面シート１１の表面を被覆した状態においては、物品本体１０に排泄される排泄物は、表面シート１１を被覆する予備表面シート２０に排泄されることになる。
【００６１】
以上説明した第１の実施の形態における吸収性物品（吸収パッド１）によれば、透液性の表面シート１１と、不透液性の裏面シート１２と、表面シート１１と裏面シート１２との間に介装される吸収体１３と、を有する物品本体１０と、物品本体１０に設けられ、表面シート１１の表面が露出した状態から表面シート１１の表面を被覆した状態に変換可能な透液性の予備表面シート２０と、を備えている。
すなわち、例えば、物品本体１０に排泄された排泄物で表面シート１１の表面が汚れた場合に、予備表面シート２０で表面シート１１の表面を被覆して、その汚れＱを閉じ込めることができる。したがって、物品本体１０に排泄された排泄物で表面シート１１の表面が汚れた場合であっても、吸収体１３の容量にまだ余裕がある場合には、予備表面シート２０で表面シート１１の表面を被覆すれば、吸収パッド１を交換しなくても汚れＱが肌に付着するのを防止できるため、効率的に肌を清潔に保つことができる。
さらに、予備表面シート２０で汚れＱを閉じ込めることができるため、汚れＱ等に由来する臭いが放出されるのを抑えることができる。
【００６２】
また、以上説明した第１の実施の形態における吸収パッド１によれば、予備表面シート２０は、一端が物品本体１０の表側に固定された固定端２０１であるとともに、他端が自由端２０２であり、表面シート１１の表面が露出した状態では、折り畳まれた状態で、物品本体１０の表側に配されている。
したがって、表面シート１１の表面が露出した状態において、予備表面シート２０が邪魔になるのを抑えることができる。
【００６３】
また、以上説明した第１の実施の形態における吸収パッド１によれば、予備表面シート２０は、表面シート１１の表面が露出した状態では、自由端２０２が物品本体１０の外側を向いている。
したがって、表面シート１１の表面が露出した状態において自由端２０２が汚れても、表面シート１１の表面を被覆した状態においては、その自由端２０２の汚れた面が表面シート１１側を向き、汚れていない面が肌当接面となるため、汚れＱが肌に付着するのを防止できる。
【００６４】
また、以上説明した第１の実施の形態における吸収パッド１によれば、２枚１組の予備表面シート２０で表面シート１１の表面が被覆され、予備表面シート２０は、２枚のうちの一方の予備表面シート２０の固定端２０１が、物品本体１０の長手方向に略沿って物品本体１０の短手方向一端側に固定されるとともに、他方の予備表面シート２０の固定端２０１が、物品本体１０の長手方向に略沿って物品本体１０の短手方向他端側に固定され、表面シート１１の表面を被覆した状態では、固定端２０１から自由端２０２までの長さが、固定端２０１から物品本体１０の短手方向中央までの長さよりも長く、かつ、固定端２０１から物品本体１０の短手方向中央までの長さの３．０倍よりも短くなるよう設定されている。
したがって、固定端２０１から自由端２０２までの長さが、固定端２０１から物品本体１０の短手方向中央までの長さよりも長く、表面シート１１の表面を被覆した状態において、２枚の予備表面シート２０は、物品本体１０の短手方向中央付近で重なることとなるので、最も汚れやすい部分を確実に予備表面シート２０で覆うことができ、かつ、固定端２０１から物品本体１０の短手方向中央までの長さの３．０倍よりも短いため、予備表面シート２０が邪魔になるのを抑えることができる。
【００６５】
また、以上説明した第１の実施の形態における吸収パッド１によれば、予備表面シート２０における表面シート１１の表面を露出した状態を仮止めする仮止め部４０を備えている。
したがって、表面シート１１の表面が露出した状態において、予備表面シート２０が邪魔になるのを確実に抑えることができる。
【００６６】
また、以上説明した第１の実施の形態における吸収パッド１によれば、仮止め部４０による仮止めは、所定量の排泄によって解除されることが好ましい。
したがって、仮止め部４０による仮止めが自動的に解除されるため、予備表面シート２０で表面シート１１の表面を被覆する操作が容易になり、ユーザにとって好適である。また、仮止め部４０による仮止めの解除を、予備表面シート２０で表面シート１１の表面を被覆すべきタイミングの目安となるよう構成することもできる。
【００６７】
また、以上説明した第１の実施の形態における吸収パッド１によれば、予備表面シート２０における表面シート１１の表面を被覆した状態を保持する保持部５０を備えている。
したがって、表面シート１１の表面を被覆した状態において、予備表面シート２０がずれたりめくれたりしにくいため、予備表面シート２０で閉じ込めた汚れＱが露出してくるのを抑えることができる。
【００６８】
また、以上説明した第１の実施の形態における吸収パッド１によれば、ギャザーシート３０は、表面シート１１の表面が露出した状態において予備表面シート２０を覆う、予備表面シート１１よりも撥水性の度合いが高い撥水シートとしての役割も果たす。
したがって、表面シート１１の表面を被覆する前に予備表面シート２０が汚れたり湿ったりするのを抑えることができる。
【００６９】
また、以上説明した第１の実施の形態における吸収パッド１によれば、予備表面シート２０は、固定端２０１から自由端２０２側に向かうにつれて疎水性及び／又は速乾性の度合いが高くなることが好ましい。
したがって、固定端２０１から自由端２０２側に向かうにつれて疎水性の度合いが高くなる場合（すなわち、自由端２０２から固定端２０１側に向かうにつれて親水性の度合いが高くなる場合）には、排泄物（特に体液）が固定端２０１側に移動しやすくなり、固定端２０１から自由端２０２側に向かうにつれて速乾性の度合いが高くなる場合には、自由端２０２に付着した排泄物（特に体液）が乾きやすくなるため、装着時に肌に触れやすい部分であるとともに、表面シート１１の表面を被覆した状態へと変換する際にユーザがつまむ部分となる予備表面シート２０の自由端２０２側が、表面シート１１の表面を被覆する前に汚れたり湿ったりするのを抑えることができる。
【００７０】
［第２の実施の形態］
次に、第２の実施の形態における吸収性物品としての吸収パッドについて説明する。
なお、第２の実施の形態の吸収パッド１Ａは、表面シート１１の表面が露出した状態では、予備表面シート２０Ａが丸められた状態となっている点のみが、第１の実施の形態に吸収パッド１と異なる。したがって、異なる箇所のみについて説明し、その他の共通する部分は同一符号を付して詳細な説明は省略する。
図５は、表面シートの表面が露出した状態の吸収パッドの断面図である。図６は、表面シートの表面を被覆した状態の吸収パッドの断面図である。
【００７１】
＜吸収パッドの構成＞
第２の実施の形態の吸収パッド１Ａは、例えば、図５に示すように、表面シート１１と、裏面シート１２と、吸収体１３と、を有する物品本体１０と、予備表面シート２０Ａ，２０Ａと、ギャザーシート３０，３０と、仮止め部４０，４０と、保持部５０，５０と、などを備えて構成される。
【００７２】
予備表面シート２０Ａは、例えば、表面シート１１の表面が露出した状態では、丸められた状態で、物品本体１０の表側に配されている。
【００７３】
＜状態変換動作＞
次いで、予備表面シート２０Ａにおける、表面シート１１の表面が露出した状態から表面シート１１の表面を被覆した状態への変換動作について説明する。
【００７４】
表面シート１１の表面が露出した状態においては、例えば、図５に示すように、予備表面シート２０Ａは、丸められた状態で物品本体１０の表側に配されており、丸められた状態（表面シート１１の表面が露出した状態）を仮止め部４０により仮止めされている。また、予備表面シート２０は、ギャザーシート３０により覆われている。
この表面シート１１の表面が露出した状態においては、物品本体１０に排泄される排泄物は、表面シート１１の表面に排泄されることになる。
【００７５】
仮止め部４０による仮止めが解除されると、自由端２０２を外側から内側へと移動させることができるようになるため、予備表面シート２０Ａは、表面シート１１の表面が露出した状態から表面シート１１の表面を被覆した状態へと変換可能となる。
【００７６】
表面シート１１の表面を被覆した状態においては、例えば、図６に示すように、予備表面シート２０Ａは、広げられた状態で物品本体１０の表側に配されて、２枚１組で表面シート１１表面の略全体を被覆している。そして、この予備表面シート２０Ａが広げられた状態（表面シート１１の表面を被覆した状態）は、保持部５０によって保持されている。したがって、表面シート１１表面の汚れＱは、予備表面シート２０Ａによって閉じ込められることになる。
この表面シート１１の表面を被覆した状態においては、物品本体１０に排泄される排泄物は、表面シート１１を被覆する予備表面シート２０Ａに排泄されることになる。
【００７７】
以上説明した第２の実施の形態における吸収性物品（吸収パッド１Ａ）によれば、予備表面シート２０Ａは、表面シート１１の表面が露出した状態では、丸められた状態で、物品本体１０の表側に配されている。
したがって、表面シート１１の表面が露出した状態において、予備表面シート２０Ａが邪魔になるのを抑えることができる。
【００７８】
［第３の実施の形態］
次に、第３の実施の形態における吸収性物品としての吸収パッドについて説明する。
なお、第３の実施の形態の吸収パッド１Ｂは、１枚の予備表面シート２０Ｂで表面シート１１表面の略全体を被覆できる点のみが、第１の実施の形態に吸収パッド１と異なる。したがって、異なる箇所のみについて説明し、その他の共通する部分は同一符号を付して詳細な説明は省略する。
図７は、表面シートの表面が露出した状態の吸収パッドの断面図である。図８は、表面シートの表面を被覆した状態の吸収パッドの断面図である。
【００７９】
＜吸収パッドの構成＞
第３の実施の形態の吸収パッド１Ｂは、例えば、図７に示すように、表面シート１１と、裏面シート１２と、吸収体１３と、を有する物品本体１０と、物品本体１０の長手一側縁部に略沿って設けられた予備表面シート２０Ｂと、ギャザーシート３０，３０と、仮止め部４０と、保持部５０，５０と、などを備えて構成される。
【００８０】
予備表面シート２０Ｂは、例えば、物品本体１０に排泄された排泄物で表面シート１１の表面が汚れた場合に、１枚で表面シート１１表面の略全体を被覆することによりその汚れＱを閉じ込めて、汚れＱが肌に付着するのを防止するためのものである。
【００８１】
より具体的には、例えば、予備表面シート２０Ｂの固定端２０１は、物品本体１０の長手方向に略沿って、物品本体１０の短手方向一端側における表面シート１１の表面に貼り付けられて固定されている。
そして、予備表面シート２０Ｂは、例えば、物品本体１０の長手一側縁部に略沿って、自由端２０２及び長手方向両端２０３を固定することなく物品本体１０の表側に配されている。
【００８２】
また、予備表面シート２０Ｂは、例えば、表面シート１１の表面を被覆した状態では、固定端２０１から自由端２０２までの長さが、固定端２０１から物品本体１０の短手方向中央までの長さの１．８倍よりも長く、かつ、固定端２０１から物品本体１０の短手方向中央までの長さの３．０倍よりも短くなるよう設定されている。
したがって、表面シート１１の表面を被覆した状態において、物品本体１０の短手方向中央付近を確実に被覆でき、かつ、予備表面シート２０Ｂが邪魔になるのを抑えることができる。
【００８３】
ここで、予備表面シート２０Ｂと、物品本体１０とには、例えば、予備表面シート２０における表面シート１１の表面を被覆した状態を保持する保持部５０が備えられている。
具体的には、例えば、予備表面シート２０Ｂの自由端２０２と、物品本体１０（例えば、表面シート１１の表面）と、には保持部５０が備えられており、予備表面シート２０Ｂの自由端２０２に備えられた保持部５０は、表面シート１１の表面を被覆した状態では、物品本体１０に備えられた保持部５０に係止されるようになっている。これにより、予備表面シート２０における表面シート１１の表面を被覆した状態が保持されるようになっている。
【００８４】
＜状態変換動作＞
次いで、予備表面シート２０Ｂにおける、表面シート１１の表面が露出した状態から表面シート１１の表面を被覆した状態への変換動作について説明する。
【００８５】
表面シート１１の表面が露出した状態においては、例えば、図７に示すように、予備表面シート２０Ｂは、折り畳まれた状態で物品本体１０の表側に配されており、折り畳まれた状態（表面シート１１の表面が露出した状態）を仮止め部４０により仮止めされている。また、予備表面シート２０Ｂは、ギャザーシート３０により覆われている。
この表面シート１１の表面が露出した状態においては、物品本体１０に排泄される排泄物は、表面シート１１の表面に排泄されることになる。
【００８６】
仮止め部４０による仮止めが解除されると、自由端２０２を外側から内側へと移動させることができるようになるため、予備表面シート２０Ｂは、表面シート１１の表面が露出した状態から表面シート１１の表面を被覆した状態へと変換可能となる。
【００８７】
表面シート１１の表面を被覆した状態においては、例えば、図８に示すように、予備表面シート２０Ｂは、広げられた状態で物品本体１０の表側に配されて、１枚で表面シート１１表面の略全体を被覆している。そして、この予備表面シート２０Ｂが広げられた状態（表面シート１１の表面を被覆した状態）は、保持部５０によって保持されている。したがって、表面シート１１表面の汚れＱは、予備表面シート２０Ｂによって閉じ込められることになる。
この表面シート１１の表面を被覆した状態においては、物品本体１０に排泄される排泄物は、表面シート１１を被覆する予備表面シート２０Ｂに排泄されることになる。
【００８８】
以上説明した第３の実施の形態における吸収性物品（吸収パッド１Ｂ）によれば、１枚の予備表面シート２０Ｂで表面シート１１の表面が被覆され、予備表面シート２０Ｂは、表面シート１１の表面を被覆した状態では、固定端２０１から自由端２０２までの長さが、固定端２０１から物品本体１０の短手方向中央までの長さの１．８倍よりもより長く、かつ、固定端２０１から物品本体１０の短手方向中央までの長さの３．０倍よりも短くなるよう設定されている。
したがって、固定端２０１から自由端２０２までの長さが、固定端２０１から物品本体１０の短手方向中央までの長さの１．８倍よりも長く、表面シート１１の表面を被覆した状態において、物品本体１０の短手方向中央付近は予備表面シート２０Ｂで覆われることになるので、最も汚れやすい部分を確実に予備表面シート２０で覆うことができ、かつ、固定端２０１から物品本体１０の短手方向中央までの長さの３．０倍よりも短いため、予備表面シート２０Ｂが邪魔になるのを抑えることができる。
【００８９】
なお、第３の実施の形態において、予備表面シート２０Ｂは、表面シート１１の表面が露出した状態では丸められた状態となっていても良い。
【００９０】
［第４の実施の形態］
次に、第４の実施の形態における吸収性物品としての吸収パッドについて説明する。
なお、第４の実施の形態の吸収パッド１Ｃは、表面シート１１の表面が複数の分割区域に区分されている点のみが、第１の実施の形態の吸収パッド１と異なる。したがって、異なる箇所のみについて説明し、その他の共通する部分は同一符号を付して詳細な説明は省略する。
図９は、表面シートの表面が露出した状態の吸収パッドの斜視図であり、図１０は、図９のＸ−Ｘ線における断面図である。図１１は、表面シートの表面を被覆した状態の吸収パッドの断面図である。
【００９１】
＜吸収パッドの構成＞
第４の実施の形態の吸収パッド１Ｃは、例えば、図９に示すように、表面シート１１の表面が、短手方向に並んだ３つの分割区域Ｒ１，Ｒ２，Ｒ３に区分され、表面シート１１の各分割区域のそれぞれに対応して、２枚１組の予備表面シート２０Ｃが各々備えられている。
【００９２】
すなわち、第４の実施の形態の吸収パッド１Ｃは、例えば、図９及び図１０に示すように、表面シート１１と、裏面シート１２と、吸収体１３と、を有する物品本体１０と、３つの分割区域Ｒ１，Ｒ２，Ｒ３それぞれの長手両側縁部に略沿って設けられた予備表面シート２０Ｃ，２０Ｃ，…と、ギャザーシート３０，３０と、仮止め部４０，４０，…と、保持部５０，５０，…と、などを備えて構成される。
【００９３】
予備表面シート２０Ｃは、例えば、物品本体１０に排泄された排泄物で表面シート１１の表面が汚れた場合に、２枚１組で対応する分割区域の略全体を被覆することによりその汚れＱを閉じ込めて、汚れＱが肌に付着するのを防止するためのものである。
【００９４】
より具体的には、例えば、２枚の予備表面シート２０Ｃのうちの一方の予備表面シート２０Ｃの固定端２０１は、対応する分割区域の長手方向に略沿って、対応する分割区域の短手方向一端側における表面シート１１の表面に貼り付けられて固定されているとともに、他方の予備表面シート２０Ｃの固定端２０１は、対応する分割区域の長手方向に略沿って、対応する分割区域の短手方向他端側における表面シート１１の表面に貼り付けられて固定されている。
そして、予備表面シート２０Ｃは、例えば、対応する分割区域の長手両側縁部に略沿って、自由端２０２及び長手方向両端２０３，２０３を固定することなく物品本体１０の表側に配されている。
【００９５】
また、予備表面シート２０Ｃは、例えば、表面シート１１の表面を被覆した状態では、固定端２０１から自由端２０２までの長さが、固定端２０１から対応する分割区域の短手方向中央までの長さよりも長く、かつ、固定端２０１から対応する分割区域の短手方向中央までの長さの３．０倍よりも短くなるよう設定されている。
したがって、表面シート１１の表面を被覆した状態において、２枚１組の予備表面シート２０Ｃで対応する分割区域の略全体を被覆でき、かつ、予備表面シート２０Ｃが邪魔になるのを抑えることができる。
【００９６】
＜状態変換動作＞
次いで、予備表面シート２０Ｃにおける、表面シート１１の表面が露出した状態から表面シート１１の表面を被覆した状態への変換動作について説明する。
ここで、３つの分割区域Ｒ１，Ｒ２，Ｒ３のうちの１つ（例えば、分割区域Ｒ２）に排泄物が排泄された場合について説明する。
【００９７】
表面シート１１の表面が露出した状態においては、例えば、図９及び図１０に示すように、予備表面シート２０Ｃは、折り畳まれた状態で物品本体１０の表側に配されており、折り畳まれた状態（表面シート１１の表面が露出した状態）を仮止め部４０により仮止めされている。また、物品本体１０の長手両側縁部に配された予備表面シート２０Ｃは、ギャザーシート３０により覆われている。
この表面シート１１の表面が露出した状態においては、物品本体１０に排泄される排泄物は、表面シート１１の表面や、物品本体１０の短手方向中央付近に配された予備表面シート２０Ｃの自由端２０２側などに排泄されることになる。
【００９８】
仮止め部４０による仮止めが解除されると、自由端２０２を外側から内側へと移動させることができるようになるため、予備表面シート２０Ｃは、表面シート１１の表面が露出した状態から表面シート１１の表面を被覆した状態へと変換可能となる。
【００９９】
表面シート１１の表面における分割区域Ｒ２を被覆した状態においては、例えば、図１１に示すように、予備表面シート２０Ｃは、広げられた状態で物品本体１０の表側に配されて、２枚１組で分割区域Ｒ２の略全体を被覆している。そして、この予備表面シート２０Ｃが広げられた状態（分割区域Ｒ２を被覆した状態）は、保持部５０によって保持されている。したがって、表面シート１１の表面における分割区域Ｒ２の汚れＱは、予備表面シート２０Ｃによって閉じ込められることになる。
この表面シート１１の表面における分割区域Ｒ２を被覆した状態においては、分割区域Ｒ２に排泄される排泄物は、表面シート１１を被覆する予備表面シート２０Ｃに排泄されることになる。
【０１００】
以上説明した第４の実施の形態の吸収性物品（吸収パッド１Ｃ）は、表面シート１１の表面が、短手方向に並んだ３つの分割区域Ｒ１，Ｒ２，Ｒ３に区分され、表面シート１１の各分割区域のそれぞれに対応して、２枚１組の予備表面シート２０Ｃが各々備えられている。
したがって、複数の分割区域のうちの汚れた分割区域のみを、被覆した状態に変換することができるため、より効率的に肌を清潔に保つことができる。
【０１０１】
なお、第４の実施の形態において、予備表面シート２０Ｃは、表面シート１１の表面が露出した状態では丸められた状態となっていても良い。
【０１０２】
また、第４の実施の形態において、表面シート１１の各分割区域のそれぞれに対応して、１枚の予備表面シート２０Ｃが各々備えられていても良い。すなわち、１枚の予備表面シート２０Ｃで、対応する分割区域の略全体を被覆するようにしても良い。
【０１０３】
また、第４の実施の形態において、分割区域の数は、複数であれば任意である。
さらに、分割区域は、長手方向に並んでいても良いし、ランダムに並んでいても良い。
【０１０４】
［第５の実施の形態］
次に、第５の実施の形態における吸収性物品としての吸収パッドについて説明する。
なお、第５の実施の形態の吸収パッド１Ｄは、予備表面シート２０Ｄが表面シート１１の表面を被覆する状態へ付勢されている点のみが、第１の実施の形態の吸収パッド１と異なる。したがって、異なる箇所のみについて説明し、その他の共通する部分は同一符号を付して詳細な説明は省略する。
図１２は、表面シートの表面が露出した状態の吸収パッドの斜視図であり、図１３は、図１２のＸIII−ＸIII線における断面図である。図１４は、表面シートの表面を被覆した状態の吸収パッドの断面図であり、図１５は、図１４のＸＶ−ＸＶ線における断面図である。
【０１０５】
＜吸収パッドの構成＞
第５の実施の形態の吸収パッド１Ｄは、例えば、図１２及び図１３に示すように、表面シート１１と、裏面シート１２と、吸収体１３と、を有する物品本体１０と、物品本体１０に設けられた予備表面シート２０Ｄ，２０Ｄと、ギャザーシート３０，３０と、仮止め部４０，４０と、保持部５０，５０と、などを備えて構成される。
【０１０６】
予備表面シート２０Ｄは、例えば、物品本体１０に排泄された排泄物で表面シート１１の表面が汚れた場合に、２枚１組で表面シート１１表面の略全体を被覆することによりその汚れＱを閉じ込めて、汚れＱが肌に付着するのを防止するためのものである。
【０１０７】
より具体的には、例えば、２枚の予備表面シート２０Ｄのうちの一方の予備表面シート２０Ｄの固定端２０１は、物品本体１０の長手方向に略沿って、物品本体１０の短手方向一端側における表面シート１１の表面に貼り付けられて固定されているとともに、他方の予備表面シート２０Ｄの固定端２０１は、物品本体１０の長手方向に略沿って、物品本体１０の短手方向他端側における表面シート１１の表面に貼り付けられて固定されている。
また、例えば、２枚の予備表面シート２０Ｄのうちの一方の予備表面シート２０Ｄの長手方向両端部２０４，２０４は、物品本体１０の短手方向に略沿って、物品本体１０の長手方向両端側における表面シート１１の表面に貼り付けられて固定されているとともに、他方の予備表面シート２０Ｄの長手方向両端部２０４，２０４は、物品本体１０の短手方向に略沿って、物品本体１０の長手方向両端側における表面シート１１の表面や一方の予備表面シート２０Ｄの長手方向両端部２０４，２０４に貼り付けられて固定されている。
そして、予備表面シート２０Ｄは、例えば、物品本体１０の長手方向に略沿って、自由端２０２を固定することなく物品本体１０の表側に配されている。
【０１０８】
ここで、予備表面シート２０Ｄの自由端２０２側には、例えば、図１４及び図１５に示すように、糸ゴム等の弾性部材２１が長手方向に亘って配されている。そして、表面シート１１の表面が露出した状態においては、例えば、図１２及び図１３に示すように、予備表面シート２０Ｄの自由端２０２の長手方向略中央の部分が、仮止め部４０によって固定端２０１に仮止めされている。
したがって、表面シート１１の表面が露出した状態においては、弾性部材２１が伸びた状態となっており、予備表面シート２０Ｄは、弾性部材２１が縮む状態（すなわち、表面シート１１の表面を被覆した状態）へと付勢されている。
【０１０９】
＜状態変換動作＞
次いで、予備表面シート２０Ｄにおける、表面シート１１の表面が露出した状態から表面シート１１の表面を被覆した状態への変換動作について説明する。
【０１１０】
表面シート１１の表面が露出した状態においては、例えば、図１２及び図１３に示すように、予備表面シート２０Ｄは、固定端２０１と長手方向両端部２０４，２０４とが表面シート１１に固定された状態で、かつ、自由端２０２の長手方向略中央の部分が仮止め部４０によって固定端２０１に仮止めされた状態で、物品本体１０の表側に配されている。すなわち、予備表面シート２０Ｄは、表面シート１１の表面を露出した状態を仮止め部４０により仮止めされている。
この表面シート１１の表面が露出した状態においては、物品本体１０に排泄される排泄物は、表面シート１１の表面に排泄されることになる。
【０１１１】
仮止め部４０による仮止めが解除されると、自由端２０２の長手方向略中央の部分が外側から内側へと自動的に移動するため、予備表面シート２０Ｄは、表面シート１１の表面が露出した状態から表面シート１１の表面を被覆した状態へと変換される。
【０１１２】
表面シート１１の表面を被覆した状態においては、例えば、図１４及び図１５に示すように、予備表面シート２０Ｄは、広げられた状態で物品本体１０の表側に配されて、２枚１組で表面シート１１表面の略全体を被覆している。そして、この予備表面シート２０Ｄが広げられた状態（表面シート１１の表面を被覆した状態）は、保持部５０によって保持されている。したがって、表面シート１１表面の汚れＱは、予備表面シート２０Ｄによって閉じ込められることになる。
この表面シート１１の表面を被覆した状態においては、物品本体１０に排泄される排泄物は、表面シート１１を被覆する予備表面シート２０Ｄに排泄されることになる。
【０１１３】
以上説明した第５の実施の形態における吸収性物品（吸収パッド１Ｄ）によれば、予備表面シート２０は、表面シート１１の表面が露出した状態では、表面シート１１の表面を被覆する状態へ付勢されている。
すなわち、仮止め部４０による仮止めが解除されると、自動的に、表面シート１１の表面が露出した状態から表面シート１１の表面を被覆した状態へと変換される。したがって、自由端２０１をつまんだりすることなく、表面シート１１の表面を被覆した状態へと変換することができるため、ユーザにとって好適である。
【０１１４】
特に、仮止め部４０による仮止めが、所定量の排泄によって解除される場合には、仮止めと、表面シート１１の表面を被覆した状態への変換と、が自動的に行われるため、例えば、吸収パッド１を装着したままでも、予備表面シート２０Ｄで表面シート１１表面の略全体を被覆することができ、肌に付着した汚れＱを予備表面シート１１で拭き取りながら、表面シート１１の表面を被覆した状態へと移行することができる。
【０１１５】
なお、第５の実施の形態においては、保持部５０は備えなくても良い。
すなわち、予備表面シート２０Ｄは、表面シート１１の表面を被覆する状態へ付勢されているため、特に保持部５０を備えなくても、表面シート１１の表面を被覆した状態を保持することができる。
【０１１６】
また、第５の実施の形態において、１枚の予備表面シート２０Ｄで、表面シート１１表面の略全体を被覆するようにしても良い。
【０１１７】
また、第５の実施の形態において、表面シート１１の表面が複数の分割区域に区分され、
表面シート１１の各分割区域のそれぞれに対応して、予備表面シート２０Ｄが各々備えられていても良い。
【０１１８】
また、第５の実施の形態において、付勢の仕方は任意であり、具体的には、例えば、固定端２０１から自由端２０２に亘って板ばねを備え、表面シート１１の表面が露出した状態において板ばねを丸めた状態とすることで、予備表面シート２０Ｄを、板ばねが伸びる（広がる）状態へと付勢するようにしても良いし、例えば、固定端２０１から自由端２０２に亘ってウレタンやゴムなどの弾性材を備え、表面シート１１の表面が露出した状態において弾性材を圧縮した状態とすることで、予備表面シート２０Ｄを、弾性材の圧縮が解除される状態へと付勢するようにしても良いし、例えば、第１の実施の形態の吸収パッド１などにおいて、さらに、物品本体１０の長手方向に略沿って、物品本体１０の短手方向一端側及び他端側に、両端が固定された糸ゴム等の弾性部材を配し、物品本体１０の短手方向一端側に配された弾性部材の長手方向略中央を、物品本体１０の短手方向他端側に配された予備表面シート２０の自由端２０２の長手方向略中央に取り付けるとともに、物品本体１０の短手方向他端側に配された弾性部材の長手方向略中央を、物品本体１０の短手方向一端側に配された予備表面シート２０の自由端２０２の長手方向略中央に取り付け、表面シート１１の表面が露出した状態において弾性部材が伸びた状態とすることで、予備表面シート２０を、弾性部材が縮む方向へと付勢するようにしても良い。
【０１１９】
［第６の実施の形態］
次に、第６の実施の形態における吸収性物品としての吸収パッドについて説明する。
なお、第６の実施の形態の吸収パッド１Ｅは、表面シート１１の表面が露出した状態では、予備表面シート２０Ｅが物品本体１０の裏側に配されている点のみが、第１の実施の形態に吸収パッド１と異なる。したがって、異なる箇所のみについて説明し、その他の共通する部分は同一符号を付して詳細な説明は省略する。
図１６は、表面シートの表面が露出した状態の吸収パッドの斜視図であり、図１７は、図１６のＸVII−ＸVII線における断面図である。図１８は、表面シートの表面を被覆した状態の吸収パッドの断面図であり、図１９は、図１８のＸIＸ−ＸIＸ線における断面図である。
【０１２０】
＜吸収パッドの構成＞
第６の実施の形態の吸収パッド１Ｅは、例えば、図１６及び図１７に示すように、表面シート１１と、裏面シート１２と、吸収体１３と、を有する物品本体１０と、物品本体１０の長手両側縁部に略沿って設けられた予備表面シート２０Ｅ，２０Ｅと、物品本体１０の長手両側縁部に略沿って、予備表面シート２０，２０よりも外側に設けられたギャザーシート３０Ｅ，３０Ｅと、仮止め部４０，４０と、保持部５０，５０と、などを備えて構成される。
【０１２１】
予備表面シート２０Ｅは、例えば、物品本体１０に排泄された排泄物で表面シート１１の表面が汚れた場合に、２枚１組で表面シート１１表面の略全体を被覆することによりその汚れＱを閉じ込めて、汚れＱが肌に付着するのを防止するためのものである。
【０１２２】
具体的には、予備表面シート２０Ｅは、例えば、短手方向一端が物品本体１０の裏側に固定された固定端２０１であるとともに、短手方向他端が自由端２０２であり、表面シート１１の表面が露出した状態（図１６及び図１７）から表面シート１１の表面を被覆した状態（図１８及び図１９）に変換可能となっている。そして、予備表面シート２０Ｅは、例えば、表面シート１１の表面が汚れた場合に、表面シート１１の表面が露出した状態から表面シート１１の表面を被覆した状態に変換されるようになっている。
【０１２３】
より具体的には、例えば、２枚の予備表面シート２０Ｅのうちの一方の予備表面シート２０Ｅの固定端２０１は、物品本体１０の長手方向に略沿って、物品本体１０の短手方向一端側における裏面シート１２の吸収体１３の底面を覆う部分の表面に貼り付けられて固定されているとともに、他方の予備表面シート２０Ｅの固定端２０１は、物品本体１０の長手方向に略沿って、物品本体１０の短手方向他端側における裏面シート１２の吸収体１３の底面を覆う部分の表面に貼り付けられて固定されている。
そして、予備表面シート２０Ｅは、例えば、物品本体１０の長手両側縁部に略沿って、自由端２０２及び長手方向両端２０３，２０３を固定することなく物品本体１０の裏側に配されている。
【０１２４】
また、予備表面シート２０Ｅは、例えば、表面シート１１の表面を被覆した状態では、固定端２０１から自由端２０２までの長さが、固定端２０１から物品本体１０の短手方向一端までの長さと、物品本体１０の短手方向一端側の厚みと、物品本体１０の短手方向一端から短手方向中央までの長さと、の和よりも長く、かつ、固定端２０１から物品本体１０の短手方向一端までの長さと、物品本体１０の短手方向一端側の厚みと、物品本体１０の短手方向一端から短手方向中央までの長さの３．０倍の長さと、の和よりも短くなるよう設定されている。
したがって、表面シート１１の表面を被覆した状態において、２枚１組の予備表面シート２０Ｅで表面シート１１表面の略全体を被覆できるとともに、２枚の予備表面シート２０Ｅは、物品本体１０の短手方向中央付近で重なることとなるので、最も汚れやすい部分を確実に予備表面シート２０Ｅで覆うことができ、かつ、予備表面シート２０Ｅが邪魔になるのを抑えることができる。
【０１２５】
ここで、予備表面シート２０Ｅには、例えば、予備表面シート２０Ｅにおける表面シート１１の表面を露出した状態を仮止めする仮止め部４０が備えられている。
具体的には、例えば、予備表面シート２０Ｅの自由端２０２は、表面シート１１の表面が露出した状態では、仮止め部４０によって物品本体１０（裏面シート１２）に仮止めされている。これにより、予備表面シート２０Ｅにおける表面シート１１の表面が露出した状態が仮止めされるようになっている。
【０１２６】
ギャザーシート３０Ｅは、例えば、物品本体１０に排泄された排泄物が横もれするのを防止するためのものである。
また、ギャザーシート３０Ｅは、例えば、撥水シートとして、表面シート１１の表面が露出した状態において予備表面シート２０Ｅを覆い、表面シート１１の表面を被覆する前に予備表面シート２０Ｅが汚れたり湿ったりするのを抑えるためのものである。
【０１２７】
より具体的には、例えば、ギャザーシート３０Ｅの固定端は、予備表面シート２０Ｅの固定端２０１よりも短手方向中央側に配されて、裏面シート１２の吸収体１３の底面を覆う部分の表面に貼り付けられて固定されている。
そして、ギャザーシート３０Ｅは、例えば、物品本体１０の長手両側縁部に略沿って、自由端を固定することなく物品本体１０の裏側から表側に亘って配されているが、物品本体１０の長手方向両端部では、自由端ごと表面シート１１側に折り畳まれて、物品本体１０に固定されている。
また、例えば、ギャザーシート３０Ｅの自由端には、糸ゴム等の弾性部材３１が長手方向に亘って配されている。これにより、ギャザーシート３０Ｅは、長手方向に伸縮自在となっている。
【０１２８】
＜状態変換動作＞
次いで、予備表面シート２０Ｅにおける、表面シート１１の表面が露出した状態から表面シート１１の表面を被覆した状態への変換動作について説明する。
【０１２９】
表面シート１１の表面が露出した状態においては、例えば、図１６及び図１７に示すように、予備表面シート２０Ｅは、折り畳まれた状態で物品本体１０の裏側に配されており、折り畳まれた状態（表面シート１１の表面が露出した状態）を仮止め部４０により仮止めされている。また、予備表面シート２０は、ギャザーシート３０により覆われている。
この表面シート１１の表面が露出した状態においては、物品本体１０に排泄される排泄物は、表面シート１１の表面に排泄されることになる。
【０１３０】
仮止め部４０による仮止めが解除されると、自由端２０２を物品本体１０の裏側から表側へと移動させ、さらに外側から内側へと移動させることができるようになるため、予備表面シート２０Ｅは、表面シート１１の表面が露出した状態から表面シート１１の表面を被覆した状態へと変換可能となる。
【０１３１】
表面シート１１の表面を被覆した状態においては、例えば、図１８及び図１９に示すように、予備表面シート２０Ｅは、広げられた状態で物品本体１０の表側に配されて、２枚１組で表面シート１１表面の略全体を被覆している。そして、この予備表面シート２０Ｅが広げられた状態（表面シート１１の表面を被覆した状態）は、保持部５０によって保持されている。したがって、表面シート１１表面の汚れＱは、予備表面シート２０Ｅによって閉じ込められることになる。
この表面シート１１の表面を被覆した状態においては、物品本体１０に排泄される排泄物は、表面シート１１を被覆する予備表面シート２０Ｅに排泄されることになる。
【０１３２】
以上説明した第６の実施の形態における吸収性物品（吸収パッド１Ｅ）によれば、予備表面シート２０Ｅは、物品本体１０の裏側に配されている。
したがって、表面シート１１の表面が露出した状態において、予備表面シート２０Ｅが邪魔になるのを抑えることができるとともに、表面シート１１の表面を被覆する前に予備表面シート２０Ｅが汚れたり湿ったりするのを抑えることができる。
【０１３３】
なお、第６の実施の形態において、予備表面シート２０Ｅは、表面シート１１の表面が露出した状態では丸められた状態となっていても良い。
【０１３４】
また、第６の実施の形態において、１枚の予備表面シート２０Ｅで、表面シート１１表面の略全体を被覆するようにしても良い。
【０１３５】
また、第６の実施の形態において、予備表面シート２０Ｅは、表面シート１１の表面を被覆する状態へ付勢されていても良い。
【０１３６】
［第７の実施の形態］
次に、第７の実施の形態における吸収性物品について説明する。
なお、第７の実施の形態の吸収性物品は、使い捨て紙おむつである点のみが、第１の実施の形態に吸収パッド１と異なる。したがって、異なる箇所のみについて説明し、その他の共通する部分は同一符号を付して詳細な説明は省略する。
図２０は、表面シートの表面が露出した状態の吸収パッドの斜視図であり、図２１は、図２０のＸＸＩ−ＸＸＩ線における断面図である。図２２は、表面シートの表面を被覆した状態の吸収パッドの断面図であり、図２３は、図２２のＸＸIII−ＸＸIII線における断面図である。
【０１３７】
＜使い捨て紙おむつの構成＞
第７の実施の形態の使い捨て紙おむつ１Ｆは、例えば、図２０及び図２１に示すように、表面シート１１と、裏面シート１２Ｆと、吸収体１３と、を有する物品本体１０Ｆと、予備表面シート２０，２０と、ギャザーシート３０Ｆ，３０Ｆと、仮止め部４０，４０と、保持部５０，５０と、などを備えて構成される。
【０１３８】
この使い伝紙おむつ１Ｆにおいては、人体の股部を腹側から背側にかけて覆うように、一方の端部に腹側部１４Ｆが形成され、他方の端部に背側部１５Ｆが形成されている。また、腹側部１４Ｆと背側部１５Ｆとの間が股下部１６Ｆとなっており、股下部１６Ｆの両縁部は、内側に凹むように形成され、装着された際に装着者の脚の周りを囲む脚周り部１７Ｆとなっている。
【０１３９】
裏面シート１２Ｆは、例えば、吸収体１３の底面を覆って、外側に向かって延出している。
そして、例えば、ギャザーシート３０Ｆの固定端は、裏面シート１２Ｆの外側に向かって延出した部分から表面シート１１の内側に折り返された部分に亘る領域に貼り付けられて固定されている。
【０１４０】
背側部１５Ｆを形成する裏面シート１２Ｆには、外側に向かって突出する止着部６０，６０が設けられており、止着部６０には、接着部材６１が設けられている。また、腹側部１４Ｆを形成する裏面シート１２Ｆ上には、接着部材６１が接着する被接着部材（図示省略）が設けられている。
そして、接着部材６１を被接着部材に接着させ、止着部６０を、腹側部１４Ｆを形成する裏面シート１２Ｆに固定することによって、腹側部１４Ｆと背側部１５Ｆとで胴回り部を形成するようになっている。
なお、接着部材６１と被接着部材とは、単独では接着性がなく、互いに接することにより接着する接着剤や面ファスナなどにより形成されているのが好ましい。
また、腹側部１４Ｆや背側部１５Ｆの長手方向縁部に、糸ゴム等の弾性部材を短手方向に沿って設けるようにしても良い。この場合、胴回り部が着用者の胴回りにフィットするような伸縮自在の構造になり、好適である。
【０１４１】
また、脚開口部１７Ｆを形成する裏面シート１２Ｆとギャザーシート３０Ｆとの間には、糸ゴム等の弾性部材７０が物品本体１０Ｆの長手方向に沿って設けられ、例えば、３本の弾性部材７０により平面ギャザーを形成している。これにより、脚開口部１７Ｆは、着用者の脚周りにフィットするように伸縮自在な構造となっている。
【０１４２】
以上説明した第７の実施の形態における吸収性物品（使い捨て紙おむつ１Ｆ）によれば、物品本体１０Ｆに排泄された排泄物で表面シート１１の表面が汚れた場合であっても、吸収体１３の容量にまだ余裕がある場合には、予備表面シート２０で表面シート１１の表面を被覆すれば、使い捨て紙おむつ１Ｆを交換しなくても汚れＱが肌に付着するのを防止できるため、効率的に肌を清潔に保つことができる。
【０１４３】
なお、第７の実施の形態において、予備表面シート２０の構成は、第２の実施の形態の予備表面シート２０Ａのような構成であっても良いし、第３の実施の形態の予備表面シート２０Ｂのような構成であっても良いし、第４の実施の形態の予備表面シート２０Ｃのような構成であっても良いし、第５の実施の形態の予備表面シート２０Ｄのような構成であっても良いし、第６の実施の形態の予備表面シート２０Ｅのような構成であっても良い。
【０１４４】
なお、本発明は、上記した実施の形態のものに限るものではなく、その要旨を逸脱しない範囲で適宜変更可能である。
【０１４５】
＜変形例＞
なお、第６の実施の形態において、例えば、図２４及び図２５に示す吸収パッド１Ｇ，１Ｈのように、物品本体１０の裏側に配された、予備表面シート２０Ｅよりも撥水性の度合いが高い撥水シートを備えるようにしても良い。
【０１４６】
具体的には、吸収パッド１Ｇは、例えば、図２４に示すように、表面シート１１と、裏面シート１２と、吸収体１３と、を有する物品本体１０と、予備表面シート２０Ｅ，２０Ｅと、ギャザーシート３０，３０と、仮止め部４０，４０と、保持部５０，５０と、折り畳まれた状態で物品本体１０の裏側に配されるとともに、予備表面シート２０Ｅ，２０Ｅを覆う予備表面シート２０Ｅよりも撥水性の度合いが高い撥水シート８０Ｇ，８０Ｇと、などを備えて構成される。
【０１４７】
また、吸収パッド１Ｈは、例えば、図２５に示すように、表面シート１１と、裏面シート１２と、吸収体１３と、を有する物品本体１０と、予備表面シート２０Ｅ，２０Ｅと、ギャザーシート３０，３０と、仮止め部４０，４０と、保持部５０，５０と、折り畳まれた状態で物品本体１０の裏側に配された予備表面シート２０Ｅよりも撥水性の度合いが高い撥水シート８０Ｈ，８０Ｈと、などを備えて構成される。
【０１４８】
撥水シート８０Ｇ，８０Ｈは、表面シート１１の表面が露出した状態では、折り畳まれた状態で物品本体１０の裏側に配されており、撥水シート８０Ｇ，８０Ｈを広げて、撥水シート８０Ｇ，８０Ｈの自由端を物品本体１０の表側に配することによって、ギャザーシートとして使用できるようになっている。
すなわち、吸収パッド１Ｇ，１Ｈにおいては、予備表面シート２０Ｅで表面シート１１の表面を被覆するとギャザーシート３０も被覆されてしまうが、例えば、表面シート１１の表面を被覆した状態に変換する際に、撥水シート８０Ｇ，８０Ｈの自由端も物品本体１０の表側に配することによって、撥水シート８０Ｇ，８０Ｈをギャザーシートとして使用できるようになっている。
【０１４９】
以上説明した吸収パッド１Ｇ，１Ｈによれば、表面シート１１の表面が露出した状態では、折り畳まれた状態の撥水シート８０Ｇ，８０Ｈが物品本体１０の裏側に配されているため、折り畳まれた状態の撥水シート８０Ｇ，８０Ｇの厚みで、物品本体１０の短手方向両端が持ち上がり、物品本体１０に排泄された排泄物が物品本体１０の短手方向中央付近に集まりやすくなるため、表面シート１１の表面を被覆する前に予備表面シート２０Ｅや撥水シート８０Ｇ，８０Ｆが汚れたり湿ったりするのを抑えることができる。
【０１５０】
なお、吸収パッド１Ｇの撥水シート８０Ｇは、表面シート１１の表面が露出した状態において、予備表面シート２０Ｅの略全体を覆うような構成であっても良い。この場合、撥水シート８０Ｇの自由端は、予備表面シート２０Ｅに備えられた仮止め部４０とは別の（或いは、同一の）仮止め部４０によって表面シート１１の表面を露出した状態を仮止めされていても良い。
【０１５１】
また、吸収パッド１Ｇ，１Ｈにおいて、ギャザーシート３０は備えられていなくても良い。
【０１５２】
なお、第１〜第７の実施の形態において、仮止め部４０によって、予備表面シート２０，２０Ａ，２０Ｂ，２０Ｃ，２０Ｅにおける表面シート１１の表面を露出した状態を仮止めすることができるのであれば、仮止め部４０が配置された位置や仮止め部４０の個数などは任意である。
また、第１〜第７の実施の形態において、保持部５０によって、予備表面シート２０，２０Ａ，２０Ｂ，２０Ｃ，２０Ｅにおける表面シート１１の表面を被覆した状態を保持することができるのであれば、保持部５０が配置された位置や保持部５０の個数などは任意である。
また、第１〜第７の実施の形態において、仮止め部４０及び保持部５０に代えて、仮止め部４０として機能するとともに保持部５０として機能する接着部などを備えるようにしても良い。
【０１５３】
第１〜第５及び第７の実施の形態において、ギャザーシート３０，３０Ｆとは別に、表面シート１１の表面が露出した状態において、予備表面シート２０，２０Ａ，２０Ｂ，２０Ｃ，２０Ｅを覆う、予備表面シート２０，２０Ａ，２０Ｂ，２０Ｃ，２０Ｅよりも撥水性の高い撥水シートを備えていても良い。この場合、撥水シートは、表面シート１１の表面が露出した状態において、予備表面シート２０，２０Ａ，２０Ｂ，２０Ｃ，２０Ｅの略全体を覆うような構成であるのが好ましい。
【０１５４】
第１〜第７の実施の形態において、表面シート１１の表面が露出した状態において、予備表面シート２０が邪魔になるのを抑えることができる状態で物品本体１０，１０Ｆに配されていれば、予備表面シート２０，２０Ａ，２０Ｂ，２０Ｃ，２０Ｅの状態は任意であり、予備表面シート２０，２０Ａ，２０Ｂ，２０Ｃ，２０Ｅは、例えば、固定端２０１から自由端２０２に亘って配された弾性材等によって、短手方向に縮んだ状態で、物品本体に配されていてもよい。
【０１５５】
第１〜第７の実施の形態において、表面シート１１の表面が露出した状態から表面シート１１の表面を被覆した状態に変換可能であれば、予備表面シート２０，２０Ａ，２０Ｂ，２０Ｃ，２０Ｅの構成は任意であり、予備表面シート２０，２０Ａ，２０Ｂ，２０Ｃ，２０Ｅは、例えば、表面シート１１と一体であっても良いし、１又は複数のシート材で構成されていても良いし、弾性部材が配されていても良い。
【０１５６】
第１〜第７の実施の形態において、予備表面シート２０，２０Ａ，２０Ｂ，２０Ｃ，２０Ｅを更に備えても良い。
具体的には、例えば、第３の実施の形態において、予備表面シート２０Ｂを２枚備えるようにすると、１枚目の予備表面シート２０Ｂで表面シート１１表面の略全体を被覆した後、物品本体１０に排泄された排泄物で１枚目の予備表面シート２０Ｂが汚れた場合に、２枚目の予備表面シート２０Ｂで１枚目の予備表面シート２０Ｂを被覆して、その汚れＱを閉じ込めることができる。したがって、物品本体１０に排泄された排泄物で表面シート１１が汚れ、さらに１枚目の予備表面シート２０Ｂが汚れた場合であっても、吸収体１３の容量にまだ余裕がある場合には、２枚目の予備表面シート２０Ｂで１枚目の予備表面シート３０Ｂを被覆すれば、吸収パッド１を交換しなくても汚れＱが肌に付着するのを防止できるため、効率的に肌を清潔に保つことができる。
無論、第１、第２、第４、第５、第６、第７の実施の形態においても、予備表面シート２０，２０Ａ，２０Ｃ，２０Ｅを更に備えると、同様の効果を得ることができる。
【図面の簡単な説明】
【０１５７】
【図１】第１の実施の形態の吸収性物品（吸収パッド）の斜視図であって、表面シートの表面が露出した状態を示す図である。
【図２】図１のII−II線における断面図である。
【図３】第１の実施の形態の吸収性物品（吸収パッド）の斜視図であって、表面シートの表面を被覆した状態を示す図である。
【図４】図３のIV−IV線における断面図である。
【図５】第２の実施の形態の吸収性物品（吸収パッド）の斜視図であって、表面シートの表面が露出した状態を示す図である。
【図６】第２の実施の形態の吸収性物品（吸収パッド）の斜視図であって、表面シートの表面を被覆した状態を示す図である。
【図７】第３の実施の形態の吸収性物品（吸収パッド）の斜視図であって、表面シートの表面が露出した状態を示す図である。
【図８】第３の実施の形態の吸収性物品（吸収パッド）の斜視図であって、表面シートの表面を被覆した状態を示す図である。
【図９】第４の実施の形態の吸収性物品（吸収パッド）の斜視図であって、表面シートの表面が露出した状態を示す図である。
【図１０】図９のＸ−Ｘ線における断面図である。
【図１１】第４の実施の形態の吸収性物品（吸収パッド）の斜視図であって、表面シートの表面を被覆した状態を示す図である。
【図１２】第５の実施の形態の吸収性物品（吸収パッド）の斜視図であって、表面シートの表面が露出した状態を示す図である。
【図１３】図１２のＸIII−ＸIII線における断面図である。
【図１４】第５の実施の形態の吸収性物品（吸収パッド）の斜視図であって、表面シートの表面を被覆した状態を示す図である。
【図１５】図１４のＸＶ−ＸＶ線における断面図である。
【図１６】第６の実施の形態の吸収性物品（吸収パッド）の斜視図であって、表面シートの表面が露出した状態を示す図である。
【図１７】図１６のＸVII−ＸVII線における断面図である。
【図１８】第６の実施の形態の吸収性物品（吸収パッド）の斜視図であって、表面シートの表面を被覆した状態を示す図である。
【図１９】図１８のＸIＸ−ＸIＸ線における断面図である。
【図２０】第７の実施の形態の吸収性物品（使い捨て紙おむつ）の斜視図であって、表面シートの表面が露出した状態を示す図である。
【図２１】図２０のＸＸＩ−ＸＸＩ線における断面図である。
【図２２】第７の実施の形態の吸収性物品（使い捨て紙おむつ）の斜視図であって、表面シートの表面を被覆した状態を示す図である。
【図２３】図２２のＸＸIII−ＸＸIII線における断面図である。
【図２４】第６の実施の形態の吸収性物品（吸収パッド）の第１変形例の断面図であって、表面シートの表面が露出した状態を示す図である。
【図２５】第６の実施の形態の吸収性物品（吸収パッド）の第２変形例の断面図であって、表面シートの表面が露出した状態を示す図である。
【符号の説明】
【０１５８】
１，１Ａ，１Ｂ，１Ｃ，１Ｄ，１Ｅ，１Ｇ，１Ｈ  吸収パッド（吸収性物品）
１Ｆ  使い捨て紙おむつ（吸収性物品）
１０，１０Ｆ  物品本体
１１  表面シート
１２  裏面シート
１３  吸収体
２０，２０Ａ，２０Ｂ，２０Ｃ，２０Ｄ，２０Ｅ  予備表面シート
３０，３０Ｅ，３０Ｆ  ギャザーシート（撥水シート）
４０  仮止め部
５０  保持部
８０Ｇ  撥水シート
２０１  固定端
２０２  自由端
Ｒ１，Ｒ２，Ｒ３  分割区域
【図１】
0005203007.tif 000002
【図２】
0005203007.tif 000003
【図３】
0005203007.tif 000004
【図４】
0005203007.tif 000005
【図５】
0005203007.tif 000006
【図６】
0005203007.tif 000007
【図７】
0005203007.tif 000008
【図８】
0005203007.tif 000009
【図９】
0005203007.tif 000010
【図１０】
0005203007.tif 000011
【図１１】
0005203007.tif 000012
【図１２】
0005203007.tif 000013
【図１３】
0005203007.tif 000014
【図１４】
0005203007.tif 000015
【図１５】
0005203007.tif 000016
【図１６】
0005203007.tif 000017
【図１７】
0005203007.tif 000018
【図１８】
0005203007.tif 000019
【図１９】
0005203007.tif 000020
【図２０】
0005203007.tif 000021
【図２１】
0005203007.tif 000022
【図２２】
0005203007.tif 000023
【図２３】
0005203007.tif 000024
【図２４】
0005203007.tif 000025
【図２５】
0005203007.tif 000026